(57)【要約】【課題】  風の流れる方向によって屋外装置の放熱効果が大きく低下することによりその温度が上昇して屋外装置の機能が損なわれることを防止することができる屋外装置用日除け装置を提供する。【解決手段】  屋外装置１６の外面に対向して設置され、該屋外装置１６への日射光を遮る日除け板２０ａを有する屋外装置用日除け装置２０において、日除け板２０ａに設けられた通風用のスリット孔２４と、スリット孔２４の上端側から屋外装置１６側の下方に向かって突設される内側突設部材２６ｂを有する遮光部材２６とを有する。【選択図】      図４
2006257807.tif 000002
【特許請求の範囲】
【請求項１】
屋外装置の外面に対向して設置され、該屋外装置への日射光を遮る日除け板を有する屋外装置用日除け装置において、
前記日除け板に設けられた通風用のスリット孔と、
前記スリット孔の上端側から前記屋外装置側の下方に向かって突設される内側突設部材を有する遮光部材と
を有することを特徴とする屋外装置用日除け装置。
【請求項２】
前記遮光部材は、前記内側突設部材の外側端部より前記スリット孔を通って前記日除け板の外面側の上方に向かって突出するよう構成され、前記内側突設部材と一体的に形成された外側突設部材を有する
ことを特徴とする請求項１に記載の屋外装置用日除け装置。
【請求項３】
前記遮光部材は、前記日除け板に水平方向に支持される回転軸の回りに回転可能に支持されると共に、その内側端部が外側端部に対して下方向に位置するように付勢手段によって付勢される
ことを特徴とする請求項１に記載の屋外装置用日除け装置。
【請求項４】
前記遮光部材は、前記付勢手段によって付勢されているときに、前記内側突設部材の外側端部より前記スリット孔を通って前記日除け板の外面側の上方に向かって突出するように構成された外側突設部材を有する
ことを特徴とする請求項３に記載の屋外装置用日除け装置。
【請求項５】
前記遮光部材と前記スリット孔の上端部及び下端部のそれぞれとの間に通風路が形成されるように前記回転軸が配置されている
ことを特徴とする請求項４に記載の屋外装置用日除け装置。
【請求項６】
前記付勢手段は、前記外側突設部材が前記スリット孔の上端部に当接する方向に回転するように前記遮光部材を付勢する
ことを特徴とする請求項５に記載の屋外装置用日除け装置。
【請求項７】
前記遮光部材は、前記内側突設部材の内側端と前記回転軸との間の長さが、前記外側突設部材の外側端と前記回転軸との間の長さよりも長くなるように構成されている
ことを特徴とする請求項５又は６に記載の屋外装置用日除け装置。
【請求項８】
前記付勢手段は、温度が高くなると前記遮光部材を付勢する付勢力が小さくなるように構成されている
ことを特徴とする請求項３ないし７のいずれか一に記載の屋外装置用日除け装置。
【請求項９】
前記内側突設部材は、この内側端にこの幅方向に対して開度が鈍角となるように下方に屈曲して延設される延設部を有する
ことを特徴とする請求項１ないし８のいずれか一に記載の屋外装置用日除け装置。
【請求項１０】
屋外装置の外面に対向して設置され、該屋外装置への日射光を遮る日除け板を有する屋外装置用日除け装置において、
前記日除け板に設けられた通風用のスリット孔と、
前記スリット孔から前記日除け板の外面側に向かって突設された外側突設部と、前記スリット孔から前記日除け板の内側に向かって突設された内側突設部とを有して、前記日除け板に設けられた回転軸に回転可能に取付支持された遮光部材と、
前記遮光部材を回転方向の一方向側に付勢する付勢手段と、を有する
ことを特徴とする屋外装置用日除け装置。
【請求項１１】
前記遮光部材は、前記内側突設部の内側端と前記回転軸との間の長さが、前記外側突設部の外側端と前記回転軸との間の長さよりも長く構成されている
ことを特徴とする請求項１０に記載の屋外装置用日除け装置。
【請求項１２】
前記遮光部材と前記スリット孔の一方側の端部及び他方側の端部のそれぞれとの間に通風路が形成されるように前記回転軸が配置されている
ことを特徴とする請求項１０又は１１に記載の屋外装置用日除け装置。
【請求項１３】
前記付勢手段は、温度が高くなると前記一方向側への付勢力が小さくなるように構成されている
ことを特徴とする請求項１０ないし１２のいずれか一に記載の屋外装置用日除け装置。
【発明の詳細な説明】
【技術分野】
【０００１】
本発明は、例えば、携帯電話機の基地局装置等の、屋外に配置される電子装置のような屋外装置に、日除け等のために取り付ける屋外装置用日除け装置に関するものである。
【背景技術】
【０００２】
従来の、屋外装置に日除け等のために取り付ける屋外装置用日除け装置としては、例えば、特許文献１に示すようなものや、図７及び図８に示すようなものがあった。
【０００３】
図７に示す屋外装置用日除け装置１０は、例えば、図示しない、携帯電話機の基地局装置等の、屋外に配置される電子装置のような屋外装置の周囲に、覆い被せるように配置されて用いられるようになっている。
【０００４】
この屋外装置用日除け装置１０においては、上記基地局装置等の正面や側面等の各面に対向して配置された日除け板１０ａを有し、この日除け板１０ａには、その外面に沿って水平方向に長く伸びて形成されたフィン１２が、互いに平行に配置されて多数設けられている。そして、この日除け板１０ａには、各フィン１２の下側に沿って、図８に示すようなスリット孔１４が形成されている。
【０００５】
このような日除け板１０ａは、屋外装置用日除け装置１０に直接日射光が当たるのを防止するために設けられ、この日除け板１０ａに形成されたスリット孔１４は、日除け板１０ａの内外の空気の出入りを促すために設けられ、この日除け板１０ａのスリット孔１４に沿ってその近傍上側に設けられたフィン１２は、スリット孔１４から日除け板１０ａ内への日射光の侵入を防止するために設けられている。
【０００６】
このように、従来の屋外装置用日除け装置１０は、日射光が屋外装置に直接当たったり、日射光の日除け板１０ａ内への侵入を防止したり、日除け板１０ａの内外の空気の出入りを促すことにより、日除け板１０ａの内側の基地局装置等の屋外装置の温度が上昇するのを防止して、その温度の上昇により屋外装置の機能が損なわれるのを防止するために用いられている。
【特許文献１】特願平１１−１９０１１３号公報
【発明の開示】
【発明が解決しようとする課題】
【０００７】
しかしながら、上記従来の屋外装置用日除け装置１０にあっては、図８に示すように、下方から上昇する風Ａはフィン１２の内側に当たってスリット孔１４を通って日除け板１０ａの内部に導入され易いが、フィン１２の上方から下降する風Ｂや、水平方向からの風Ｃは、フィン１２に遮られて日除け板１０ａの内部に入り難い。
【０００８】
このため、図８に示すように、屋外装置用日除け装置１０の内側の基地局装置１６と、それを覆う日除け装置１０の日除け板１０ａとの間の空気Ｄが断熱層となって、基地局装置１６の放熱効果が大きく低下することにより、その温度が上昇して、基地局装置１６の機能が損なわれるおそれがあるという問題があった。
【０００９】
そこで本発明は、上記問題点に鑑みて、風の流れる方向によって屋外装置の放熱効果が大きく低下することによりその温度が上昇して屋外装置の機能が損なわれることを防止することができる、屋外装置用日除け装置を提供することを課題とするものである。
【課題を解決するための手段】
【００１０】
上記課題を解決するために、本発明による屋外装置用日除け装置は、
屋外装置の外面に対向して設置され、該屋外装置への日射光を遮る日除け板を有する屋外装置用日除け装置において、
前記日除け板に設けられた通風用のスリット孔と、
前記スリット孔の上端側から前記屋外装置側の下方に向かって突設される内側突設部材を有する遮光部材と
を有することを特徴とするものである。
【００１１】
また、本発明による屋外装置用日除け装置において、
前記遮光部材は、前記内側突設部材の外側端部より前記スリット孔を通って前記日除け板の外面側の上方に向かって突出するよう構成され、前記内側突設部材と一体的に形成された外側突設部材を有することが好ましい。
【００１２】
また、本発明による屋外装置用日除け装置において、
前記遮光部材は、前記日除け板に水平方向に支持される回転軸の回りに回転可能に支持されると共に、その内側端部が外側端部に対して下方向に位置するように付勢手段によって付勢されることが好ましい。
【００１３】
また、本発明による屋外装置用日除け装置において、
前記遮光部材は、前記付勢手段によって付勢されているときに、前記内側突設部材の外側端部より前記スリット孔を通って前記日除け板の外面側の上方に向かって突出するように構成された外側突設部材を有することが好ましい。
【００１４】
また、本発明による屋外装置用日除け装置においては、
前記遮光部材と前記スリット孔の上端部及び下端部のそれぞれとの間に通風路が形成されるように前記回転軸が配置されていることが好ましい。
【００１５】
また、本発明による屋外装置用日除け装置において、
前記付勢手段は、前記外側突設部材が前記スリット孔の上端部に当接する方向に回転するように前記遮光部材を付勢することが好ましい。
【００１６】
また、本発明による屋外装置用日除け装置において、
前記遮光部材は、前記内側突設部材の内側端と前記回転軸との間の長さが、前記外側突設部材の外側端と前記回転軸との間の長さよりも長くなるように構成されていることが好ましい。
【００１７】
また、本発明による屋外装置用日除け装置において、
前記付勢手段は、温度が高くなると前記遮光部材を付勢する付勢力が小さくなるように構成されていることが好ましい。
【００１８】
また、本発明による屋外装置用日除け装置において、
前記内側突設部材は、この内側端にこの幅方向に対して開度が鈍角となるように下方に屈曲して延設される延設部を有することが好ましい。
【００１９】
また、上記課題を解決するために、本発明による屋外装置用日除け装置は、
屋外装置の外面に対向して設置され、該屋外装置への日射光を遮る日除け板を有する屋外装置用日除け装置において、
前記日除け板に設けられた通風用のスリット孔と、
前記スリット孔から前記日除け板の外面側に向かって突設された外側突設部と、前記スリット孔から前記日除け板の内側に向かって突設された内側突設部とを有して、前記日除け板に設けられた回転軸に回転可能に取付支持された遮光部材と、
前記遮光部材を回転方向の一方向側に付勢する付勢手段と、を有する
ことを特徴とするものである。
【００２０】
また、本発明による屋外装置用日除け装置において、
前記遮光部材は、前記内側突設部の内側端と前記回転軸との間の長さが、前記外側突設部の外側端と前記回転軸との間の長さよりも長く構成されていることが好ましい。
【００２１】
また、本発明による屋外装置用日除け装置においては、
前記遮光部材と前記スリット孔の一方側の端部及び他方側の端部のそれぞれとの間に通風路が形成されるように前記回転軸が配置されていることが好ましい。
【００２２】
また、本発明による屋外装置用日除け装置において、
前記付勢手段は、温度が高くなると前記一方向側への付勢力が小さくなるように構成されていることが好ましい。
【発明の効果】
【００２３】
以上説明したように、本発明の屋外装置用日除け装置によれば、風の流れる方向によって屋外装置の放熱効果が大きく低下することによりその温度が上昇して屋外装置の機能が損なわれることを防止することができる。
【発明を実施するための最良の形態】
【００２４】
以下、本発明の実施の形態について、図面に基づいて具体的に説明する。
図１ないし図６は、本発明に係る屋外装置用日除け装置の一実施の形態について説明するために参照する図である。図１に示す屋外装置用日除け装置２０は、例えば、図示しない、携帯電話機の基地局装置等の、屋外に配置される電子装置のような屋外装置の周囲に、覆い被せるように配置されて用いられるようになっている。
【００２５】
この屋外装置用日除け装置２０においては、上記基地局装置等の屋外装置の正面や側面等の外面に対向して配置された日除け板２０ａを有し、この日除け板２０ａには、その外面に沿って水平方向に長く伸びて形成されたスリット孔２４が、互いに平行に配置されて多数設けられている。
【００２６】
図２は、図１の屋外装置用日除け装置２０における日除け板２０ａのＢ矢視部の正面拡大図である。また、図３は、図２のＤ−Ｄ線矢視断面図である。これら図２及び図３に示されるように、日除け板２０ａには、スリット孔２４から基地局装置１６側への日射光の侵入を抑制するための導翼板２６（遮光部材）が設けられている。
【００２７】
この導翼板２６は、幅方向（図３における左右方向）一端側に、スリット孔２４から外側に向かって突設される外側突設部材２６ａ（外側突設部）を有し、同幅方向他端側に、スリット孔２４から日除け板２０ａの内側である基地局装置１６側に向かって突設される内側突設部材２６ｂ（内側突設部）を有して構成されている。
【００２８】
そして、当該外側突設部材２６ａは、内側突設部材２６ｂの外側端部よりスリット孔２４を通って日除け板２０ａの外面側に向かって突設されるように、内側突設部材２６ｂと一体的に構成されている。
これら外側突設部材２６ａと内側突設部材２６ｂとを有して構成される導翼板２６は、日除け板２０ａに対して回転可能に設けられている。
【００２９】
屋外に風が全くない場合は、導翼板２６は、図３に示す状態となる。同図に示すように、導翼板２６は、その幅方向一端側の外側突設部材２６ａが、スリット孔２４から日除け板２０ａの外面側に行くにつれて上昇するように傾いて配置され、導翼板２６の幅方向他端側の内側突設部材２６ｂは、スリット孔２４の上端側から日除け板２０ａの内面側（基地局装置１６側）に行くにつれて下降するように傾いて配置されるようになっている。
【００３０】
図４に示すように、導翼板２６はその長さ方向両端部が、水平方向に伸びる回転軸３０を介して日除け板２０ａに回転可能に支持されている。そして、図２に示すように、導翼板２６の長さ方向（図２中左右方向）の各端部と、日除け板２０ａとの間には、回転付勢バネ２８（付勢手段）が回転軸３０の周りに装着されている。
【００３１】
図４において、回転軸３０の一端部は軸受板３２により導翼板２６に回転可能に連結しており、回転軸３０の他端部は軸受板３４により日除け板２０ａに回転可能に連結している。そして、回転軸３０の回りには回転付勢バネ２８が巻きつけられて装着されており、この回転付勢バネ２８の一端部は導翼板２６に係止されると共に、他端部は日除け板２０ａに係止されている。
【００３２】
このため、図３において、導翼板２６は、回転付勢バネ２８により回転軸３０を中心に一回転方向（図３における反時計回り方向）に付勢されることとなり、導翼板２６の内側突設部材２６ｂは、回転付勢バネ２８により、その内側端部が下方に向かって回転するように付勢されている。このとき、外側突設部材２６ａは、内側突設部材２６ｂの上端部（外側端部）より、スリット孔２４を通って日除け板２０ａの外面側の上方に向かって突出すると共に、外側突設部材２６ａが上方に向かって回転することにより、その上面がスリット孔２４の上端部に当接するように構成されている。
【００３３】
回転軸３０は、回転付勢バネ２８や風による導翼板２６の回転状態によって、内側突設部材２６ｂと、スリット孔２４の上端部及び下端部のそれぞれとの間に、通風路が形成されるような位置に設けられている。
【００３４】
また、図６に示すように、内側突設部材２６ｂの内側端と回転軸３０との間の長さＬ１は、外側突設部材２６ａの外側端と回転軸３０との間の長さＬ２よりも長くなるように構成されている。
【００３５】
この外側突設部材２６ａと内側突設部材２６ｂとは、同一材質にて一体に構成されているので、導翼板２６は、回転付勢バネ２８の付勢力を受けない構成とした場合であっても、両突設部材２６ａ，２６ｂの重量バランスの関係により、その内側端部（内側突設部材２６ｂの下端部）が外側端部（外側突設部材２６ａの上端部）に対して下方向に位置するように構成されている。
【００３６】
回転付勢バネ２８は、その温度が所定値より高くなると、導翼板２６に対する付勢力が小さくなるようなバネ特性を有するものが用いられている。
【００３７】
内側突設部材２６ｂには、図３などに示すように、この内側端に、内側突設部材２６ｂの幅方向に対して開度が鈍角となるように下方に屈曲して延設される延設部２６ｃが形成されている。
【００３８】
このように構成された屋外装置用日除け装置２０によれば、屋外に風が全くない場合は、図３に示すように、外側突設部材２６ａがスリット孔２４から日除け板２０ａの外面側の上方に向かって突出するように位置し、内側突設部材２６ｂがスリット孔２４の上端側から基地局装置１６側の下方に向かって突出するように位置するとともに、導翼板２６はその外側突設部材２６ａの上面がスリット孔２４の上端部に接触して、導翼板２６とスリット孔２４の下端部との間に通風路が形成される状態となる。
【００３９】
このため、日除け板２０ａの内側が高温になると、日除け板２０ａの内側の、内側突設部材２６ｂより下側の空気が上昇して、当該空気が延設部２６ｃ及び内側突設部２６ｂによってスリット孔２４へ導かれて、上記通風路から日除け板２０ａの外側に排出される上昇気流Ａが発生すると共に、上記通風路から日除け板２０ａの外側の空気が日除け板２０ａの内側に入り込む換気動作が行なわれる。このことにより、基地局装置１６の温度が上昇することを防止して、その機能が損なわれることを防止することができる。
【００４０】
また、図５に示すように、日除け板２０ａの外側において、上方から下降する風Ｂが外側突設部材２６ａに当たると、外側突設部材２６ａへの風圧により、導翼板２６は回動軸３０の回りに図中時計回り方向に回動する。このため、外側突設部材２６ａと、スリット孔２４の上端部との間に通風路が形成される。
【００４１】
するとその通風路から、日除け板２０ａの外側の上方から下降する風Ｂが、日除け板２０ａの内側に入り込んで、日除け板２０ａ内の空気温度を下げることができるので、基地局装置１６の温度が上昇するのを防止できるため、温度の上昇により基地局装置１６の機能が損なわれることを防止することができる。
【００４２】
さらに、図６に示すように、日除け板２０ａの外側における水平方向からの風Ｃが、導翼板２６に当たると、以下のような理由により、導翼板２６は回転軸３０の回りに、やはり図中時計回り方向に回動する。
【００４３】
すなわち、外側突設部材２６ａの幅寸法Ｌ２よりも、内側突設部材２６ｂの幅寸法Ｌ１の方が大きいと共に、内側突設部材２６ｂの内側端には延設部２６ｃが延設されているので、外側突設部材２６ａよりも内側突設部材２６ｂの方が風の当たる面積が大きいため、外側突設部材２６ａよりも内側突設部材２６ｂの方が風圧によって作用する力が大きくなって、導翼板２６は回転軸３０の回りに図中時計回り方向に回動する。
【００４４】
このため、外側突設部材２６ａと、スリット孔２４の上端部及び下端部のそれぞれとの間に、２系統の通風路が形成される。するとその２系統の通風路のそれぞれから、日除け板２０ａの外側の水平方向からの風Ｃが、日除け板２０ａの内側に入り込んで、日除け板２０ａ内の空気温度を下げることができるので、基地局装置１６の温度が上昇するのを防止できるため、温度の上昇により基地局装置１６の機能が損なわれることを防止することができる。
【００４５】
そして、上記水平方向からの風Ｃが強ければ強いほど、導翼板２６の外側突設部材２６ａと内側突設部材２６ｂは水平状態に近くなり、このため、２系統の通風路から水平方向からの風Ｃが日除け板２０ａの内側に入り込み易くなる。
【００４６】
一方、導翼板２６が図３に示す状態にあるときは、日が高く昇っているときは、外側突設部材２６ａの外側端部の、スリット孔２４から日除け板２０ａの外面側に突出した部分が日除けの動作を行なうと共に、日の高さが低くなって、外側突設部材２６ａの下のスリット孔２４から日射光が入ろうとしても、内側突設部材２６ｂ及びこの内側突設部材２６ｂの内側端に延設された延設部２６ｃによって遮光されることにより日除けの動作を行なうことができる。
【００４７】
ところで、基地局装置１６が通信動作をしていない非動作状態のときとか、冬の季節とか、寒冷地域等においては、屋外の基地局装置１６の温度はあまり上昇していないので、基地局装置１６はそれ以上積極的に冷却する必要性が少ない。
【００４８】
このため、回転付勢バネ２８の温度が低いときはその付勢力が大きくなっているので、前記風ＢやＣが少しくらい導翼板２６の外側突設部材２６ａや内側突設部材２６ｂ等に当たっても導翼板２６は回動し難くなっている。このように、前記風ＢやＣが容易に日除け板２０ａの内側に入り込み難くして、基地局装置１６の温度が下がり過ぎることによりその機能が損われないようになっている。また、基地局装置１６の温度上昇を促進して基地局装置１６の機能の安定性を図るようにしている。
【００４９】
また、基地局装置１６が通信動作をしている動作状態のときとか、夏の季節とか、温暖地域等においては、屋外の基地局装置１６の温度は上昇傾向にあるので、基地局装置１６は積極的に冷却する必要がある。
【００５０】
このため、回転付勢バネ２８の温度が高くなったときは、その付勢力が小さくなることにより、前記風ＢやＣが導翼板２６の外側突設部材２６ａや内側突設部材２６ｂに当たると、導翼板２６は回動し易くなっている。このため、前記風ＢやＣが日除け板２０ａの内側に入り込み易くなって、基地局装置１６の温度が上昇することを防止できるので、温度の上昇により基地局装置１６の機能が損われることを防止することができる。
【００５１】
なお、前記回動付勢バネ２８は、その温度が高くなると、導翼板２６を付勢する付勢力が小さくなるようなバネ特性を有するものを用いた場合について説明したが、基地局装置１６又は日除け板２０ａの内側の温度を検出するセンサと、回転付勢バネ２８の付勢力を可変することができるアクチュエータと、前記センサからの検出信号により前記アクチュエータの動作を制御するコントローラとを具備し、このコントローラによりセンサとアクチュエータを介して、基地局装置１６又は日除け板２０ａの内側の温度によりその付勢力を可変制御するようにしてもよい。
【００５２】
また、前記実施の形態においては、屋外装置として携帯電話機の基地局装置について説明したが、本発明は、携帯電話機の基地局装置以外のいかなる屋外装置に用いられる屋外装置用日除け装置にも、適用することができることはいうまでもない。
【図面の簡単な説明】
【００５３】
【図１】本発明の一実施の形態に係る屋外装置用日除け装置２０を示す斜視図である。
【図２】図１におけるスリット孔２４の端部周辺のＢ矢視部の正面拡大図である。
【図３】図２における導翼板２６周辺のＤ−Ｄ線矢視断面図である。
【図４】回動付勢バネ２８の配置、連結関係を概念的に示す図である。
【図５】導翼板２６等の動作を説明するための図３に相当する図である。
【図６】導翼板２６等の他の動作を説明するための図３に相当する図である。
【図７】従来の屋外装置用日除け装置１０を示す斜視図である。
【図８】図７における日除け板１０ａの部分拡大断面図である。
【符号の説明】
【００５４】
１０  屋外装置用日除け装置
１０ａ  日除け板
１２  フィン
１４  スリット孔
１６  基地局装置
２０  屋外装置用日除け装置
２０ａ  日除け板
２４  スリット孔
２６  導翼板
２６ａ  外側突設部材
２６ｂ  内側突設部材
２８  回転付勢バネ
３０  回転軸
３２，３４  軸受板
【図１】
2006257807.tif 000003
【図２】
2006257807.tif 000004
【図３】
2006257807.tif 000005
【図４】
2006257807.tif 000006
【図５】
2006257807.tif 000007
【図６】
2006257807.tif 000008
【図７】
2006257807.tif 000009
【図８】
2006257807.tif 000010